(57)【要約】      （修正有）【課題】ユーザが再生を希望する可能性の高い番組を提示することにより、ユーザが所望の番組を探し出す際の労力を軽減することが可能な記録再生装置を提供する。【解決手段】記録再生装置１の制御部１０は、操作部１６を介して番組の再生処理の開始を指示された場合、その時点の曜日及び時刻に対応する再生履歴情報を再生履歴テーブル１２ｂから検索する。検索できた場合、制御部１０は、検索した再生履歴情報からジャンルを読み出し、このジャンルに対応して録画情報テーブル１２ａに記憶してある番組情報を読み出す。制御部１０は、読み出した番組情報を一覧表示させた番組リストを生成し、生成した番組リストを表示するための受付画面情報を生成し、表示装置２に表示させる。【選択図】図１
2014042212.tif 000002
【特許請求の範囲】
【請求項１】
テレビジョン放送信号を受信して記録する記録部と、該記録部に記録されたテレビジョン放送信号の再生指示を受け付ける受付部と、該受付部が受け付けた再生指示に応じてテレビジョン放送信号を再生する再生部とを備える記録再生装置において、
テレビジョン放送信号のジャンル情報に対応付けて、前記記録部に記録されたテレビジョン放送信号に係る番組情報を記憶する番組情報記憶部と、
前記再生部がテレビジョン放送信号を再生した再生開始日の曜日及び再生開始時刻に対応付けて、再生されたテレビジョン放送信号のジャンル情報を記憶する再生履歴記憶部と、
前記受付部が再生指示を受け付けた時点の曜日及び時刻を特定する特定部と、
該特定部が特定した曜日に一致する再生開始日の曜日、及び、前記特定部が特定した時刻の前後所定時間内の再生開始時刻に対応するジャンル情報を前記再生履歴記憶部から読み出すジャンル読出部と、
該ジャンル読出部が読み出したジャンル情報に対応する番組情報を前記番組情報記憶部から読み出す番組情報読出部と、
該番組情報読出部が読み出した番組情報に基づいて、再生すべきテレビジョン放送信号の指定を受け付ける受付画面情報を生成する画面情報生成部と、
該画面情報生成部が生成した受付画面情報を外部の表示装置へ送出する送出部と、
再生すべきテレビジョン放送信号の指定を受け付ける再生番組受付部とを備え、
前記再生部は、前記再生番組受付部が受け付けたテレビジョン放送信号を再生するようにしてあることを特徴とする記録再生装置。
【請求項２】
前記再生番組受付部がテレビジョン放送信号の指定を受け付けた場合、指定を受け付けた時点の曜日及び時刻を前記再生開始日の曜日及び再生開始時刻とし、指定されたテレビジョン放送信号のジャンル情報を前記再生されたテレビジョン放送信号のジャンル情報として前記再生履歴記憶部に記憶させる記憶制御部を備えることを特徴とする請求項１に記載の記録再生装置。
【請求項３】
前記番組情報記憶部は、テレビジョン放送信号のジャンル情報及び放送時間帯に対応付けて、前記記録部に記録されたテレビジョン放送信号に係る番組情報を記憶しており、
前記再生履歴記憶部は、前記再生開始日の曜日及び再生開始時刻に対応付けて、再生されたテレビジョン放送信号のジャンル情報及び放送時間帯を記憶しており、
前記ジャンル読出部は、前記特定部が特定した曜日及び時刻に対応するジャンル情報及び放送時間帯を前記再生履歴記憶部から読み出すようにしてあり、
前記番組情報読出部は、前記ジャンル読出部が読み出したジャンル情報及び放送時間帯に対応する番組情報を前記番組情報記憶部から読み出すようにしてあることを特徴とする請求項１又は２に記載の記録再生装置。
【請求項４】
前記再生履歴記憶部は、前記ジャンル情報に対応付けて、前記ジャンル情報が記憶された記憶日時を記憶しており、
前記再生番組受付部が前記番組情報読出部が読み出した番組情報のテレビジョン放送信号の指定を受け付けた場合、前記番組情報に対応するジャンル情報に対応付けて前記再生履歴記憶部に記憶されている記憶日時を、指定を受け付けた時点の日時に更新する更新部を備えることを特徴とする請求項１から３までのいずれかひとつに記載の記録再生装置。
【請求項５】
前記再生履歴記憶部に記憶された記憶日時から所定時間が経過した場合、前記記憶日時に対応して前記再生履歴記憶部に記憶してある情報を削除する削除部を備えることを特徴とする請求項４に記載の記録再生装置。
【請求項６】
類似するジャンル情報を対応付けて記憶する類似ジャンル記憶部と、
前記再生番組受付部が前記番組情報読出部が読み出した番組情報のテレビジョン放送信号以外の指定を受け付けた場合、前記類似ジャンル記憶部の記憶情報に基づいて、指定されたテレビジョン放送信号のジャンル情報が、前記ジャンル読出部が読み出したジャンル情報に類似するか否かを判断する類似判断部とを備え、
前記更新部は、前記類似判断部が類似すると判断した場合、前記ジャンル読出部が読み出したジャンル情報に対応付けて前記再生履歴記憶部に記憶されている記憶日時を、指定を受け付けた時点の日時に更新するようにしてあることを特徴とする請求項４又は５に記載の記録再生装置。
【請求項７】
前記再生履歴記憶部は、各情報に対応付けて、テレビジョン放送信号の再生を指示した指示者の情報を記憶しており、
前記受付部は、テレビジョン放送信号の再生指示を受け付ける際に、再生を指示する指示者の情報を受け付けるようにしてあり、
前記ジャンル読出部は、前記ジャンル情報を読み出す際に、前記受付部が受け付けた指示者の情報に対応するジャンル情報を読み出すようにしてあることを特徴とする請求項１から６までのいずれかひとつに記載の記録再生装置。
【発明の詳細な説明】
【技術分野】
【０００１】
本発明は、受信したテレビジョン放送信号の記録、及び記録したテレビジョン放送信号の再生が可能な記録再生装置に関する。
【背景技術】
【０００２】
テレビジョン放送信号を受信して記録媒体に記録し、必要に応じて記録媒体から読み出して自身のモニタ又は接続された外部の表示装置で再生できる記録再生装置が普及している。記録再生装置では、ユーザによって記録処理（録画処理）の実行が予約された場合、予約された録画処理に関する情報（例えば、放送チャンネル、放送開始予定日時及び放送終了予定日時）に従って録画処理が行われる。
【０００３】
また近年、記録媒体の大容量化に伴い、複数のチューナを備え、自動的に複数又は全ての放送チャンネルのテレビジョン放送信号を継続的に録画する記録再生装置が販売されている。このような記録再生装置を用いる場合、ユーザは視聴したい番組を放送前に選択しておく必要がなく、録画された番組から視聴したい番組を選択すればよい。
しかし、このような記録再生装置では、ユーザが視聴したいか否かに関わらず多数の番組が継続的に録画されるので、録画された膨大な数の番組の中からユーザが視聴したい番組を探し出すことは非常に困難である。
【０００４】
特許文献１では、ユーザが視聴する番組又は録画予約を行う番組を選択する際に、予め設定されたジャンル毎に、放送予定の番組名及び放送予定日時等の番組情報を一覧表示する装置が提案されている。特許文献１に開示された装置では、ユーザが予め好みのジャンルを設定しておくことで、一覧表示される番組情報が、ユーザの好みのジャンルの番組情報に制限できる。よって、このように制限された番組情報の一覧から、ユーザは視聴又は録画予約を行いたい番組を容易に探し出すことができる。
【先行技術文献】
【特許文献】
【０００５】
【特許文献１】特開平１１−２５２４７０号公報
【発明の概要】
【発明が解決しようとする課題】
【０００６】
しかし、特許文献１に開示された装置では、ユーザが予め好みのジャンルを設定しておく必要があるという問題を有する。また、１台の装置を家族等の複数のユーザで共用している状況で、各ユーザがそれぞれ好みのジャンルを設定した場合、多数のジャンルが設定される可能性がある。この場合、ジャンル毎に番組情報が一覧表示されるものの、複数ジャンルの一覧が作成されるので、一覧表示される番組情報を適切に制限することはできない。よって、複数のジャンル毎の番組情報の一覧から、ユーザが所望するジャンルの一覧を選択し、選択した一覧から所望の番組を選択する必要があり、所望の番組を探し出す手間を削減することは難しいという問題がある。
【０００７】
本発明は、斯かる事情に鑑みてなされたものである。その目的とするところは、膨大な数の番組が記録されている場合であっても、ユーザは再生したい番組を容易に探し出すことが可能な記録再生装置を提供することにある。
【課題を解決するための手段】
【０００８】
本発明に係る記録再生装置は、テレビジョン放送信号を受信して記録する記録部と、該記録部に記録されたテレビジョン放送信号の再生指示を受け付ける受付部と、該受付部が受け付けた再生指示に応じてテレビジョン放送信号を再生する再生部とを備える記録再生装置において、テレビジョン放送信号のジャンル情報に対応付けて、前記記録部に記録されたテレビジョン放送信号に係る番組情報を記憶する番組情報記憶部と、前記再生部がテレビジョン放送信号を再生した再生開始日の曜日及び再生開始時刻に対応付けて、再生されたテレビジョン放送信号のジャンル情報を記憶する再生履歴記憶部と、前記受付部が再生指示を受け付けた時点の曜日及び時刻を特定する特定部と、該特定部が特定した曜日に一致する再生開始日の曜日、及び、前記特定部が特定した時刻の前後所定時間内の再生開始時刻に対応するジャンル情報を前記再生履歴記憶部から読み出すジャンル読出部と、該ジャンル読出部が読み出したジャンル情報に対応する番組情報を前記番組情報記憶部から読み出す番組情報読出部と、該番組情報読出部が読み出した番組情報に基づいて、再生すべきテレビジョン放送信号の指定を受け付ける受付画面情報を生成する画面情報生成部と、該画面情報生成部が生成した受付画面情報を外部の表示装置へ送出する送出部と、再生すべきテレビジョン放送信号の指定を受け付ける再生番組受付部とを備え、前記再生部は、前記再生番組受付部が受け付けたテレビジョン放送信号を再生するようにしてあることを特徴とする。
【０００９】
本発明によれば、記録再生装置は、テレビジョン放送信号を記録する都度、テレビジョン放送信号のジャンル情報に対応付けて、記録されたテレビジョン放送信号の番組情報を番組情報記憶部に記憶する。また記録再生装置は、テレビジョン放送信号を再生する都度、再生開始日の曜日及び再生開始時刻に対応付けて、再生されたテレビジョン放送信号のジャンル情報を再生履歴記憶部に記憶する。記録再生装置は、再生指示を受け付けた場合、この時点の曜日に一致する再生開始日の曜日と、この時点の時刻の前後所定時間内の再生開始時刻に対応するジャンル情報を再生履歴記憶部から読み出す。これにより、再生指示があった場合に、このときの曜日及び時刻と同様の曜日及び時間帯で過去に再生した番組（テレビジョン放送信号）のジャンルを特定できる。また記録再生装置は、再生履歴記憶部から読み出したジャンル情報に対応する番組情報を番組情報記憶部から読み出す。これにより、記録されたテレビジョン放送信号の番組情報のうちで、同様の曜日及び時間帯で過去に再生した番組のジャンルと同一のジャンルの番組情報を抽出できる。記録再生装置は、番組情報記憶部から読み出した番組情報に基づいて、再生すべきテレビジョン放送信号の指定を受け付ける受付画面情報を生成して外部の表示装置へ送出する。これにより、外部の表示装置に、同様の曜日及び時間帯で過去に再生した番組のジャンルと同一のジャンルの番組情報を表示した受付画面を表示できる。記録再生装置は、再生すべきテレビジョン放送信号の指定を受け付け、指定されたテレビジョン放送信号を再生する。
このように、本発明の記録再生装置では、再生指示された時点の曜日及び時間帯と、過去の再生履歴とに基づいて、ユーザが再生を希望する可能性の高い番組情報を提示できるので、ユーザは再生したい番組を容易に探し出すことができる。例えば同じ曜日の同じ時間帯に習慣的に同じジャンルの番組の再生を行っている場合、ユーザが再生を希望する可能性の高い番組情報を提示できる。
【００１０】
本発明に係る記録再生装置は、前記再生番組受付部がテレビジョン放送信号の指定を受け付けた場合、指定を受け付けた時点の曜日及び時刻を前記再生開始日の曜日及び再生開始時刻とし、指定されたテレビジョン放送信号のジャンル情報を前記再生されたテレビジョン放送信号のジャンル情報として前記再生履歴記憶部に記憶させる記憶制御部を備えることを特徴とする。
【００１１】
本発明によれば、再生すべきテレビジョン放送信号を指定された場合に、この時点の曜日及び時刻を再生開始日の曜日及び再生開始時刻とし、指定されたテレビジョン放送信号のジャンル情報を再生されたテレビジョン放送信号のジャンル情報として再生履歴記憶部に記憶させる。テレビジョン放送信号を再生する都度、再生履歴記憶部の記憶内容が蓄積されるので、再生履歴記憶部に記憶された情報に基づいて、ユーザの好みにより適合した番組情報を提示できる。
【００１２】
本発明に係る記録再生装置は、前記番組情報記憶部は、テレビジョン放送信号のジャンル情報及び放送時間帯に対応付けて、前記記録部に記録されたテレビジョン放送信号に係る番組情報を記憶しており、前記再生履歴記憶部は、前記再生開始日の曜日及び再生開始時刻に対応付けて、再生されたテレビジョン放送信号のジャンル情報及び放送時間帯を記憶しており、前記ジャンル読出部は、前記特定部が特定した曜日及び時刻に対応するジャンル情報及び放送時間帯を前記再生履歴記憶部から読み出すようにしてあり、前記番組情報読出部は、前記ジャンル読出部が読み出したジャンル情報及び放送時間帯に対応する番組情報を前記番組情報記憶部から読み出すようにしてあることを特徴とする。
【００１３】
本発明によれば、番組情報記憶部は、ジャンル情報及び放送時間帯に対応付けて、記録されたテレビジョン放送信号の番組情報を記憶する。また、再生履歴記憶部は、再生開始日の曜日及び再生開始時刻に対応付けて、再生されたテレビジョン放送信号のジャンル情報及び放送時間帯を記憶する。そして、記録再生装置は、再生指示を受け付けた場合、この時点の曜日に一致する再生開始日の曜日と、この時点の時刻の前後所定時間内の再生開始時刻に対応するジャンル情報及び放送時間帯を再生履歴記憶部から読み出す。即ち、再生指示があった時点での曜日及び時刻と同様の曜日及び時間帯で過去に再生した番組（テレビジョン放送信号）のジャンル及び放送時間帯を特定する。また記録再生装置は、読み出したジャンル情報及び放送時間帯に対応する番組情報を番組情報記憶部から読み出す。よって、再生指示があった時点と同様の曜日及び時間帯で過去に再生した番組のジャンル及び放送時間帯と同一のジャンル及び放送時間帯の番組情報を抽出できる。よって、再生指示された時点の曜日及び時間帯と同様の曜日及び時間帯に過去に再生を行った番組のジャンルだけでなく放送時間帯も一致する番組情報を提示することができる。例えば同じ曜日の同じ時間帯に習慣的にジャンル及び放送時間帯が同じ番組の再生を行っている場合、ユーザが再生を希望する可能性の高い番組情報を提示できるので、ユーザは再生したい番組を容易に探し出すことができる。
【００１４】
本発明に係る記録再生装置は、前記再生履歴記憶部は、前記ジャンル情報に対応付けて、前記ジャンル情報が記憶された記憶日時を記憶しており、前記再生番組受付部が前記番組情報読出部が読み出した番組情報のテレビジョン放送信号の指定を受け付けた場合、前記番組情報に対応するジャンル情報に対応付けて前記再生履歴記憶部に記憶されている記憶日時を、指定を受け付けた時点の日時に更新する更新部を備えることを特徴とする。
【００１５】
本発明によれば、再生履歴記憶部は、再生開始日の曜日及び再生開始時刻に対応付けて、再生されたテレビジョン放送信号のジャンル情報を記憶しており、このジャンル情報に対応付けて、ジャンル情報が記憶された記憶日時を更に記憶する。記録再生装置は、受付画面に番組情報が表示されたテレビジョン放送信号を、再生すべきテレビジョン放送信号に指定された場合に、指定されたテレビジョン放送信号のジャンル情報に対応付けて再生履歴記憶部に記憶してある記憶日時を、この時点の日時に更新する。これにより、再生履歴記憶部に記憶されている情報が示す過去の再生処理履歴において、いずれの再生処理履歴がより新しいかを把握できる。
【００１６】
本発明に係る記録再生装置は、前記再生履歴記憶部に記憶された記憶日時から所定時間が経過した場合、前記記憶日時に対応して前記再生履歴記憶部に記憶してある情報を削除する削除部を備えることを特徴とする。
【００１７】
本発明によれば、記録再生装置は、再生履歴記憶部に記憶した記憶日時から所定時間が経過した場合、この記憶日時に対応して再生履歴記憶部に記憶してある情報（再生開始日の曜日、再生開始時刻及びジャンル情報）を削除する。よって、より直近のユーザの習慣（番組の再生習慣、視聴習慣）に基づく再生履歴に基づいて番組情報を提示できる。
【００１８】
本発明に係る記録再生装置は、類似するジャンル情報を対応付けて記憶する類似ジャンル記憶部と、前記再生番組受付部が前記番組情報読出部が読み出した番組情報のテレビジョン放送信号以外の指定を受け付けた場合、前記類似ジャンル記憶部の記憶情報に基づいて、指定されたテレビジョン放送信号のジャンル情報が、前記ジャンル読出部が読み出したジャンル情報に類似するか否かを判断する類似判断部とを備え、前記更新部は、前記類似判断部が類似すると判断した場合、前記ジャンル読出部が読み出したジャンル情報に対応付けて前記再生履歴記憶部に記憶されている記憶日時を、指定を受け付けた時点の日時に更新するようにしてあることを特徴とする。
【００１９】
本発明によれば、記録再生装置は、再生指示された時点の曜日及び時刻と、再生履歴とに基づいて生成した受付画面に表示されたテレビジョン放送信号以外の指定を受け付けた場合、指定されたテレビジョン放送信号のジャンルが、受付画面に表示されたテレビジョン放送信号のジャンルに類似するか否かを判断する。類似する場合、記録再生装置は、受付画面に表示されたテレビジョン放送信号のジャンル情報に対応して再生履歴記憶部に記憶してある記憶日時を、その時点での日時に更新する。再生指示された時点の曜日及び時刻と、再生履歴とに基づいて提示された受付画面に、ユーザが所望する番組情報は提示されていない場合であっても、この受付画面にて提示された番組情報のジャンルが、ユーザが所望する番組情報のジャンルに類似する場合がある。この場合は、受付画面にて提示されたジャンルを再生指示されたものとし、再生履歴（対応する記憶日時）を更新する。
【００２０】
本発明に係る記録再生装置は、前記再生履歴記憶部は、各情報に対応付けて、テレビジョン放送信号の再生を指示した指示者の情報を記憶しており、前記受付部は、テレビジョン放送信号の再生指示を受け付ける際に、再生を指示する指示者の情報を受け付けるようにしてあり、前記ジャンル読出部は、前記ジャンル情報を読み出す際に、前記受付部が受け付けた指示者の情報に対応するジャンル情報を読み出すようにしてあることを特徴とする。
【００２１】
本発明によれば、再生履歴記憶部は、各情報に対応付けて、テレビジョン放送信号の再生を指示した指示者の情報を記憶する。記録再生装置は、テレビジョン放送信号の再生指示を受け付ける際に、再生を指示する指示者の情報を受け付け、再生履歴記憶部からジャンル情報を読み出す際に、指示者の情報に対応するジャンル情報を読み出す。よって、再生指示があった時点の曜日及び時刻だけでなく、再生指示を行ったユーザに応じた番組（テレビジョン放送信号）のジャンルを特定できる。
【発明の効果】
【００２２】
本発明では、再生指示したユーザが再生を希望する可能性の高い番組を提示できるので、膨大な数の番組が記録されている場合であっても、ユーザは再生したい番組を容易に探し出すことができる。
【図面の簡単な説明】
【００２３】
【図１】実施形態１の記録再生装置の内部構成を示すブロック図である。
【図２】録画情報テーブルの記憶内容を示す模式図である。
【図３】再生履歴テーブルの記憶内容を示す模式図である。
【図４】記録再生装置による録画情報テーブルの更新処理の手順を示すフローチャートである。
【図５】記録再生装置による再生処理の手順を示すフローチャートである。
【図６】記録再生装置による再生処理の手順を示すフローチャートである。
【図７】受付画面の構成例を示す模式図である。
【図８】受付画面の構成例を示す模式図である。
【図９】実施形態２の録画情報テーブルの記憶内容を示す模式図である。
【図１０】実施形態２の再生履歴テーブルの記憶内容を示す模式図である。
【図１１】実施形態２の記録再生装置による録画情報テーブルの更新処理の手順を示すフローチャートである。
【図１２】実施形態３の記録再生装置による再生処理の手順の一部を示すフローチャートである。
【図１３】実施形態４の記録再生装置による再生処理の手順の一部を示すフローチャートである。
【発明を実施するための形態】
【００２４】
以下に、本発明に係る記録再生装置について、その実施形態を示す図面に基づいて詳述する。
【００２５】
（実施形態１）
以下に、実施形態１に係る記録再生装置について説明する。
図１は、実施形態１の記録再生装置の内部構成を示すブロック図である。本実施形態１の記録再生装置１は、制御部１０、ＲＡＭ（Random Access Memory）１１、記憶部１２、ＨＤＤ（Hard Disk Drive）１３、チューナ１４、信号処理部１５、操作部１６及び表示装置接続部１７等を備える。これらの各部はバスを介して相互に接続されている。
【００２６】
制御部１０は、ＣＰＵ（Central Processing Unit ）又はＭＰＵ（Micro Processor Unit）等である。制御部１０は、記憶部１２に記憶されている制御プログラムを適宜ＲＡＭ１１にロードして実行することにより上述した各部を制御し、記録再生装置１を、本発明に係る記録再生装置として動作させる。なお、制御部１０は、絶対時刻（年／月／日／時／分／秒）を示す時計を有している。また制御部１０の時計は、年月日に対応する曜日の情報も有している。
【００２７】
ＲＡＭ１１は、ＳＲＡＭ（Static ＲＡＭ）、ＤＲＡＭ（Dynamic ＲＡＭ）、フラッシュメモリ等である。ＲＡＭ１１は、制御部１０による各種プログラムの実行時に発生する種々のデータを一時的に記憶する。
【００２８】
記憶部１２は、ＥＥＰＲＯＭ（Electrically Erasable and Programmable ROM）、フラッシュメモリ、ＨＤＤ（Hard Disk Drive）等の不揮発性メモリである。記憶部１２は、制御部１０が実行すべき制御プログラム及び各種データを予め記憶している。例えば、記憶部１２は、図２に示すような録画情報テーブル１２ａ、図３に示すような再生履歴テーブル１２ｂを記憶している。録画情報テーブル１２ａ及び再生履歴テーブル１２ｂの構成については後述する。
ＨＤＤ１３は、大容量のＨＤ（記録部）を内蔵しており、チューナ１４を介して受信したテレビジョン放送信号（放送番組の番組信号）をそれぞれ番組単位でＨＤに記憶（記録）する。
【００２９】
チューナ１４は、図示しないアンテナに接続されており、ユーザにより選択された放送チャンネルに応じてアンテナで受信した電波を検波してテレビジョン放送の放送信号（テレビジョン放送信号）を受信する。チューナ１４は、受信した放送信号を信号処理部１５へ送出する。なお、本実施形態１の記録再生装置１はチューナ１４を複数備えている。
なお、アンテナが受信する電波には、放送番組の番組信号（番組コンテンツ）に係る電波のほかに、各放送局が放送する放送番組のジャンル、放送チャンネル、放送開始予定日時、放送終了予定日時及び番組タイトル等を示す番組情報を含むＥＰＧ（電子番組表）信号に係る電波が定期的に含まれる。従って、チューナ１４が受信する放送信号には、番組信号だけでなくＥＰＧ信号も含まれる。
【００３０】
信号処理部１５は、チューナ１４が受信した放送信号に所定の処理を行い、放送信号から放送番組の番組信号及びＥＰＧ信号をそれぞれ抽出する。信号処理部１５は、抽出した放送番組の番組信号をＨＤＤ１３へ送出して記憶（録画）させ、又は表示装置接続部１７を介して表示装置２へ送出して表示させる。なお、信号処理部１５は、抽出したＥＰＧ信号を表示装置接続部１７から表示装置２へ送出して表示させる。また信号処理部１５が放送信号から抽出した番組信号には音声信号が含まれており、音声信号は、図示しないスピーカへ入力されて音声出力される。なお、本実施形態１の記録再生装置１は、複数のチューナ１４を備える構成であるので、それぞれのチューナ１４に対応する信号処理部１５を複数備えてもよい。また、１つの信号処理部１５で複数のチューナ１４から並行して送出されてくる放送信号を順次切り替えて処理するようにしてもよい。
【００３１】
操作部１６は、記録再生装置１をユーザが操作するために必要な各種のキーを備えており、ユーザにより各キーが操作された場合、操作されたキーに対応した制御信号を制御部１０へ送出する。制御部１０は操作部１６から取得する制御信号に従って各種処理を実行する。例えば操作部１６には、記録再生装置１に録画してある放送番組の再生処理を開始させるための再生キー、再生処理を終了させるための停止キー等が設けられている。
なお、記録再生装置１は、遠隔から操作するためのリモートコントロール装置から送信されてくるリモコン信号を受信する受信部を備えてもよい。この場合、受信部は、受信したリモコン信号を制御部１０へ送出し、制御部１０は、リモコン信号を解析し、リモコン信号に応じて記録再生装置１の各部の動作を制御する。
【００３２】
表示装置接続部１７は、表示装置２が有線接続又は無線接続される接続部である。
表示装置２は、液晶ディスプレイ、プラズマディスプレイ又は有機ＥＬ（Electro Luminescence）ディスプレイ等である。表示装置２は、表示装置接続部１７を介して記録再生装置１から送出されてくる番組信号に基づいて番組（映像）を表示する。また、表示装置２は、記録再生装置１の動作状態、ユーザに対して通知すべき情報、記録再生装置１を操作するためのメニュー画面等を表示する。
【００３３】
図２は、録画情報テーブル１２ａの記憶内容を示す模式図である。図２に示す録画情報テーブル（番組情報記憶部）１２ａには、放送番組のジャンル（ジャンル情報）毎に、ＨＤＤ１３に録画（記録）された放送番組（番組信号）の番組情報が記憶されている。ジャンルは、ＥＰＧ信号が示すジャンルを用いることができ、番組情報も、ＥＰＧ信号に含まれる各種の情報を用いることができる。番組情報としては、例えば、放送曜日、放送時間、番組タイトル、放送チャンネル及び放送日等の情報を用いており、それぞれＥＰＧ信号に含まれる情報から特定される情報である。例えば、放送曜日及び放送日は、ＥＰＧ信号に含まれる放送開始予定日時から特定でき、放送時間は、ＥＰＧ信号に含まれる放送開始予定日時から放送終了予定日時までの時間である。録画情報テーブル１２ａに格納される情報は、記録再生装置１が録画処理を完了した場合に、制御部１０によって格納される。
【００３４】
図３は、再生履歴テーブル１２ｂの記憶内容を示す模式図である。図３に示す再生履歴テーブル（再生履歴記憶部）１２ｂには、過去に記録再生装置１が行った再生処理を示す再生履歴情報と、この再生履歴情報が登録又は更新された更新日時とが対応付けて記憶されている。再生履歴情報としては、例えば、再生開始日（再生処理を開始した日）の曜日（再生曜日）、再生開始時刻及び再生した番組信号のジャンル等の情報を用いる。再生履歴テーブル１２ｂに格納される再生履歴情報は、記録再生装置１が再生処理を開始する際に、制御部１０によって格納される。また再生履歴テーブル１２ｂに格納される更新日時は、制御部１０が再生履歴情報を格納した場合に新規に登録され、後述する再生処理の際に再生履歴情報が使用された場合に更新される。
【００３５】
上述した構成の記録再生装置１は、複数のチューナ１４のそれぞれで受信した複数の放送チャンネルの番組信号をＨＤＤ１３に継続的に録画するように構成されている。そして、記録再生装置１は、１つの番組（番組信号）の録画処理を完了する都度、録画した番組信号の番組情報をジャンルに対応付けて録画情報テーブル１２ａに登録する。
【００３６】
以下に、本実施形態１の記録再生装置１が録画処理を完了した後に行う処理について説明する。図４は、記録再生装置１による録画情報テーブル１２ａの更新処理の手順を示すフローチャートである。
記録再生装置１の制御部１０は、録画処理を完了したか否かを判断しており（Ｓ１）、完了していないと判断した場合（Ｓ１：ＮＯ）、完了するまで他の処理を行いつつ待機する。なお、制御部１０は、チューナ１４を介して受信する放送信号に含まれるＥＰＧ信号に基づいて、各番組信号の放送開始予定日時及び放送終了予定日時を把握している。そして、制御部１０は、自身の時計が示す日時に基づいて、各番組信号の放送開始予定日時が経過した場合に録画処理を開始し、放送終了予定日時が経過した場合に録画処理を終了する。
【００３７】
録画処理を完了したと判断した場合（Ｓ１：ＹＥＳ）、制御部１０は、完了した録画処理において、録画した番組信号のジャンルを特定する（Ｓ２）。なお、制御部１０は、ＥＰＧ信号からジャンルを特定することができ、また、録画処理の完了後ではなく、録画処理を開始する際、又は録画処理の実行中に特定しておいてもよい。
次に制御部１０は、録画した番組信号の番組情報を取得する（Ｓ３）。なお、番組情報についても、制御部１０は、ＥＰＧ信号から取得することができ、また、録画処理の完了後ではなく、録画処理を開始する際、又は録画処理の実行中に取得しておいてもよい。なお、ここでの番組情報は、放送曜日、放送時間、番組タイトル、放送チャンネル及び放送日を含む情報である。
【００３８】
制御部１０は、ステップＳ２で特定したジャンルに対応付けて、ステップＳ３で取得した番組情報を録画情報テーブル１２ａに記憶させ（Ｓ４）、録画情報テーブル１２ａの更新処理を終了する。なお、ステップＳ２で特定したジャンルが既に録画情報テーブル１２ａに格納されている場合、制御部１０は、そのジャンルに対応する番組情報に、ステップＳ３で取得した番組情報を追加して記憶させる。また、ステップＳ２で特定したジャンルが録画情報テーブル１２ａに格納されていない場合、制御部１０は、ステップＳ２で特定したジャンルを新たに録画情報テーブル１２ａに格納すると共に、格納したジャンルに対応付けて、ステップＳ３で取得した番組情報を記憶させる。
【００３９】
制御部１０は、上述した処理を、録画処理が完了する都度行うことにより、ＨＤＤ１３に録画された番組信号の番組情報が録画情報テーブル１２ａに蓄積される。
次に、本実施形態１の記録再生装置１が行う番組信号の再生処理、及び再生処理の際に行う処理について説明する。図５及び図６は、記録再生装置１による再生処理の手順を示すフローチャート、図７及び図８は、再生対象の番組信号の選択を受け付ける受付画面の構成例を示す模式図である。
【００４０】
記録再生装置１の制御部（受付部）１０は、操作部１６を介したユーザの操作により、ＨＤＤ１３に録画した番組信号の再生処理の開始を指示されたか否かを判断する（Ｓ１１）。ユーザは、操作部１６の再生キーを操作することによって再生処理の開始を指示してもよいし、操作部１６を介して所定の操作を行って表示装置２に表示させたメニュー画面を介して再生処理の開始を指示してもよい。再生処理の開始を指示されていないと判断した場合（Ｓ１１：ＮＯ）、制御部１０は、指示されるまで他の処理を行いつつ待機する。
【００４１】
再生処理の開始を指示されたと判断した場合（Ｓ１１：ＹＥＳ）、制御部（特定部）１０は、自身の時計が示す情報（年月日、時刻、曜日）から、現在の曜日及び時刻を取得する（Ｓ１２）。制御部１０は、再生履歴テーブル１２ｂに記憶されている再生履歴情報から、再生曜日が、取得した曜日に一致し、再生開始時刻が、取得した時刻を基準として前後所定時間（例えば３０分）内の時刻である再生履歴情報を検索する（Ｓ１３）。
【００４２】
制御部（ジャンル読出部）１０は、このような再生履歴情報を検索できたか否かを判断しており（Ｓ１４）、検索できたと判断した場合（Ｓ１４：ＹＥＳ）、検索できた再生履歴情報からジャンルを読み出す（Ｓ１５）。次に制御部（番組情報読出部）１０は、読み出したジャンルに対応付けて録画情報テーブル１２ａに記憶されている番組情報を読み出す（Ｓ１６）。なお、ステップＳ１３で複数の再生履歴情報が検索できており、ステップＳ１５で複数のジャンルが読み出されている場合、制御部１０は、それぞれのジャンル毎に番組情報を読み出す。読み出された番組情報はジャンル毎にＲＡＭ１１に格納される。
【００４３】
制御部１０は、録画情報テーブル１２ａから読み出した番組情報を一覧表示させた番組リストを生成する（Ｓ１７）。ここでも、ステップ１６で複数のジャンルの番組情報が読み出されている場合、制御部１０は、ジャンル毎に番組リストを生成する。
制御部（画面情報生成部）１０は、生成した番組リストを用いて、再生すべき番組信号の選択（指定）を受け付ける受付画面を表示するための受付画面情報を生成する（Ｓ１８）。制御部１０は、生成した受付画面情報を表示装置接続部（送出部）１７から表示装置２へ送出し、表示装置２に受付画面を表示させる（Ｓ２０）。
【００４４】
図７Ａに示す受付画面は、ステップＳ１３で再生履歴情報が１つ検索され、ステップＳ１５で読み出したジャンルがドラマであった場合の例を示す。この場合、ＨＤＤ１３に録画されている番組信号の番組情報のうちで、ジャンルがドラマの番組情報の一覧（番組リスト）をユーザに通知できる。また図７Ｂに示す受付画面は、ステップＳ１３で再生履歴情報が２つ検索され、ステップＳ１５で読み出したジャンルがドラマ及びニュースであった場合の例を示す。複数のジャンルが読み出された場合、ジャンル毎に複数の番組リストが生成される。そして、複数の番組リストを表示する場合、図７Ｂに示すように、受付画面は複数のタブを有し、それぞれのタブが各ジャンルの番組リストをそれぞれ表示する。受付画面は、タブが切り替えられることによって、各ジャンルの番組リストを順次切り替えて表示できる。図７Ｂには、ジャンルがニュースの番組リストが表示されている状態を示す。
【００４５】
一方、ステップＳ１３における検索処理で再生履歴情報を検索できなかったと判断した場合（Ｓ１４：ＮＯ）、制御部１０は、録画情報テーブル１２ａに記憶してある全ての番組情報を用いて受付画面情報を生成する（Ｓ１９）。そして制御部１０は、生成した受付画面情報を表示装置接続部１７から表示装置２へ送出し、図８に示すような受付画面を表示装置２に表示させる（Ｓ２０）。図８に示す受付画面は、録画情報テーブル１２ａに記憶してある番組情報を、例えば、放送日及び放送時間（放送開始時刻）が古い順に並べて表示する。なお、ここでの受付画面も複数のタブを有し、タブを切り替えることにより、各ジャンルの番組情報を表示できるようにしてもよい。
【００４６】
ユーザは、表示装置２に表示された受付画面を確認し、操作部１６を操作して再生したい番組を選択する。なお、図８に示す受付画面が表示されている場合、ユーザは、表示されている受付画面を介してのみ所望の番組を選択できる。一方、図７に示す受付画面が表示されている場合、ユーザは、表示されている受付画面を介して所望の番組を選択できるほかに、図８に示す受付画面を介しても所望の番組を選択できる。即ち、図７に示す受付画面中に所望の番組の番組情報が表示されていない場合、ユーザは操作部１６に対して所定の操作を行って図８に示す受付画面を表示装置２に表示させ、図８に示す受付画面を介して所望の番組を選択できる。図８に示す受付画面には、録画情報テーブル１２ａに記憶してある全ての番組情報が表示されるので、ユーザは所望の番組を確実に選択できる。
【００４７】
制御部（再生番組受付部）１０は、操作部１６を介したユーザの操作により、再生すべき番組が選択（指定）されたか否かを判断しており（Ｓ２１）、選択されていないと判断した場合（Ｓ２１：ＮＯ）、選択されるまで待機する。いずれかの番組が選択されたと判断した場合（Ｓ２１：ＹＥＳ）、制御部（再生部）１０は、選択された番組の再生処理を開始する（Ｓ２２）。具体的には、制御部１０は、選択された番組の番組信号をＨＤＤ１３から読み出し、表示装置接続部１７から表示装置２へ送出し、表示装置２に表示させる処理を開始する。
【００４８】
制御部１０は、番組信号の再生処理を行いつつ、以下の処理を並行して行う。
制御部１０は、ユーザによって選択された番組が、ステップＳ１７で生成した番組リストに番組情報が含まれている番組であるか否かを判断する（Ｓ２３）。番組リスト中の番組であると判断した場合（Ｓ２３：ＹＥＳ）、制御部１０は、この番組リストを生成する際に、ステップＳ１３で再生履歴テーブル１２ｂから検索した再生履歴情報を特定し、この再生履歴情報及び更新日時を更新する（Ｓ２４）。即ち、図７に示す受付画面を介して再生対象の番組が選択された場合、制御部（更新部）１０は、再生履歴テーブル１２ｂを更新する。
【００４９】
具体的には、特定した再生履歴情報の再生開始時刻を、ステップＳ１２で取得した時刻に更新し、特定した再生履歴情報に対応する更新日時を、この時点での日時に更新する。より具体的には、2012/8/20/月曜日の22:00に再生処理の開始が指示された場合、ステップＳ１３で、再生曜日が月曜日で、再生開始時刻が22:10で、ジャンルがドラマの再生履歴情報が検索される。そして、ステップＳ１７で生成されたドラマの番組リストに含まれる番組が再生対象に選択された場合、検索されていた再生履歴情報中の再生開始時刻が22:00に更新され、この再生履歴情報に対応する更新日時が、この時点の日時、例えば2012/8/20/22:01に更新される。
【００５０】
番組リスト中の番組でないと判断した場合（Ｓ２３：ＮＯ）、即ち、図８に示す受付画面を介して再生対象の番組が選択された場合、制御部（記憶制御部）１０は、再生履歴テーブル１２ｂに新たな再生履歴情報を追加する（Ｓ２５）。具体的には、制御部１０は、再生履歴情報の再生曜日、再生開始時刻及びジャンルのそれぞれを、ステップＳ１２で取得した曜日、時刻、ユーザによって選択された番組のジャンルとする再生履歴情報を生成して再生履歴テーブル１２ｂに格納する。また、格納した再生履歴情報に対応する更新日時に、この時点での日時を格納する。これにより、ユーザが何曜日の何時頃に何のジャンルの番組を再生したかという行動習慣（視聴習慣）を示す再生履歴情報を再生履歴テーブル１２ｂに追加できる。
なお、ユーザによって選択された番組が番組リスト中の番組である場合にも、再生履歴情報を更新するのではなく、新たに再生履歴情報を追加し、再生履歴情報を蓄積していく構成でもよい。
【００５１】
次に制御部１０は、再生履歴テーブル１２ｂに格納されている各再生履歴情報の更新日時を順に読み出し、所定期間以上更新されていない再生履歴情報（未更新の再生履歴情報）があるか否かを判断する（Ｓ２６）。具体的には、制御部１０は、各再生履歴情報の更新日時が、この時点の日時（現在日時）から所定期間（例えば１ヶ月、３ヶ月等）よりも前であるか否かを判断する。所定期間以上更新されていない再生履歴情報があると判断した場合（Ｓ２６：ＹＥＳ）、即ち、更新日時が現在日時よりも所定期間以上前の再生履歴情報がある場合、制御部（削除部）１０は、未更新の再生履歴情報を再生履歴テーブル１２ｂから削除する（Ｓ２７）。なお、制御部１０は、再生履歴情報と共に対応する更新日時も再生履歴テーブル１２ｂから削除する。
【００５２】
所定期間以上更新されていない再生履歴情報がないと判断した場合（Ｓ２６：ＮＯ）、制御部１０は、ステップＳ２７の処理をスキップして、上述した処理を終了する。なお、ステップＳ２２の処理は、ステップＳ２７の処理の終了後行ってもよい。
上述した処理により、再生履歴テーブル１２ｂに登録された再生履歴情報（過去の再生履歴）に基づいて、ユーザが再生処理の開始指示を行った曜日及び時間帯から、ユーザが選択する（再生を希望する）可能性の高い番組を絞り込むことができる。そして、絞り込まれた番組の番組リスト（番組情報一覧）を提示することにより、ユーザは、このような番組リストから、再生（視聴）したい番組を容易に探し出すことができる。よって、膨大な数の番組信号がＨＤＤ１３に録画されている場合であっても、ユーザの過去の再生履歴に基づいて絞り込まれた番組のみが選択対象として提示されるので、ユーザが所望の番組を検索する際の労力を軽減できる。
【００５３】
（実施形態２）
以下に、実施形態２に係る記録再生装置について説明する。本実施形態２の記録再生装置は、上述した実施形態１の記録再生装置１と同様の構成を有するので、同様の構成については同一の符号を付して説明を省略する。本実施形態２の記録再生装置１では、記憶部１２に記憶されている録画情報テーブル１２ａ及び再生履歴テーブル１２ｂの構成が、上述の実施形態１の記録再生装置１とは異なる。
【００５４】
図９は、実施形態２の録画情報テーブル１２ａの記憶内容を示す模式図である。図９に示す録画情報テーブル１２ａには、放送番組のジャンル及び放送時間帯毎に、ＨＤＤ１３に録画された放送番組の番組情報が記憶されている。放送時間帯は、２４時間を複数に区分した時間帯であり、例えば、5:00〜11:00、11:00〜17:00、17:00〜23:00、23:00〜5:00の時間帯である。本実施形態２の録画情報テーブル１２ａに格納される情報も、記録再生装置１が録画処理を完了した場合に、制御部１０によって格納される。
【００５５】
図１０は、実施形態２の再生履歴テーブル１２ｂの記憶内容を示す模式図である。図１０に示す再生履歴テーブル１２ｂには、過去に記録再生装置１が行った再生処理を示す再生履歴情報と、この再生履歴情報が登録又は更新された更新日時とが対応付けて記憶されている。本実施形態２の再生履歴テーブル１２ｂに記憶される再生履歴情報は、再生曜日、再生開始時刻、ジャンルのほかに、再生した番組信号が放送された放送時間帯を含む。なお、放送時間帯は、録画情報テーブル１２ａに使用される放送時間帯と同様の時間帯であり、例えば、5:00〜11:00、11:00〜17:00、17:00〜23:00、23:00〜5:00の時間帯である。再生履歴テーブル１２ｂに格納される再生履歴情報も、記録再生装置１が再生処理を開始する際に、制御部１０によって格納される。
【００５６】
以下に、本実施形態２の記録再生装置１が録画処理を完了した後に行う処理について説明する。図１１は、実施形態２の記録再生装置１による録画情報テーブル１２ａの更新処理の手順を示すフローチャートである。なお、本実施形態２の記録再生装置１は、上述の実施形態１の記録再生装置１と同様の処理を行うので、同様の処理については詳細な説明を省略する。
【００５７】
記録再生装置１の制御部１０は、録画処理を完了したか否かを判断しており（Ｓ３１）、完了していないと判断した場合（Ｓ３１：ＮＯ）、完了するまで他の処理を行いつつ待機する。録画処理を完了したと判断した場合（Ｓ３１：ＹＥＳ）、制御部１０は、完了した録画処理において、録画した番組信号のジャンルを特定する（Ｓ３２）。
次に制御部１０は、録画した番組信号の番組情報を取得し（Ｓ３３）、取得した番組情報に含まれる放送開始予定日時から、この番組信号が放送される放送時間帯を特定する（Ｓ３４）。なお、制御部１０は、5:00〜11:00、11:00〜17:00、17:00〜23:00、23:00〜5:00の時間帯のうちで、放送開始予定日時を含む時間帯を特定する。
【００５８】
制御部１０は、ステップＳ３２で特定したジャンルと、ステップＳ３４で特定した放送時間帯とに対応付けて、ステップＳ３３で取得した番組情報を録画情報テーブル１２ａに記憶させ（Ｓ３５）、録画情報テーブル１２ａの更新処理を終了する。なお、ステップＳ３２で特定したジャンル及びステップＳ３４で特定した放送時間帯が既に録画情報テーブル１２ａに格納されている場合、制御部１０は、そのジャンル及び放送時間帯に対応する番組情報に、ステップＳ３３で取得した番組情報を追加して記憶させる。また、ステップＳ３４で特定した放送時間帯が録画情報テーブル１２ａに格納されていない場合、制御部１０は、ステップＳ３２で特定したジャンルに対応する放送時間帯に、ステップＳ３４で特定した放送時間帯を追加して記憶し、更に、この放送時間帯に対応する番組情報に、ステップＳ３３で取得した番組情報を追加して記憶させる。更に、ステップＳ３２で特定したジャンルが録画情報テーブル１２ａに格納されていない場合、制御部１０は、ステップＳ３２で特定したジャンル及びステップＳ３４で特定した放送時間帯を新たに録画情報テーブル１２ａに格納すると共に、格納したジャンル及び放送時間帯に対応付けて、テップＳ３３で取得した番組情報を記憶させる。
【００５９】
本実施形態２の記録再生装置１は、上述の実施形態１の記録再生装置１が行う番組信号の再生処理及び再生処理の際に行う処理と同様の処理を行う。即ち、本実施形態２の記録再生装置１は、図５及び図６に示した処理と同様の処理を行うので、同様の処理については説明を省略し、異なる処理についてのみ説明する。
【００６０】
本実施形態２の記録再生装置１において、制御部１０は、図５中のステップＳ１５において、再生履歴テーブル１２ｂから検索できた再生履歴情報からジャンルだけでなく放送時間帯を読み出す。また制御部１０は、図５中のステップＳ１６において、再生履歴情報から読み出したジャンル及び放送時間帯に対応付けて録画情報テーブル１２ａに記憶されている番組情報を読み出す。
そして制御部１０は、図５中のステップＳ１６以降の処理を行い、図７に示すような受付画面を表示装置２に表示させる。
【００６１】
本実施形態２の記録再生装置１においても、再生履歴テーブル１２ｂに登録された再生履歴情報（過去の再生履歴）に基づいて、ユーザが選択する可能性の高い番組を絞り込んで提示することができる。よって、ユーザは、絞り込まれた番組の番組リスト（番組情報一覧）から、再生（視聴）したい番組を容易に探し出すことができる。なお、本実施形態２では、提示する番組を、ユーザが過去に再生させた番組のジャンル及び放送時間帯に基づいて絞り込むので、ジャンルのみに基づいて絞る込む場合よりも少ない番組に絞り込むことができる。よって、提示された番組から所望の番組を選択する場合に、ユーザが所望の番組を検索する際の労力をより軽減できる。
【００６２】
（実施形態３）
以下に、実施形態３に係る記録再生装置について説明する。本実施形態３の記録再生装置は、上述した実施形態１の記録再生装置１と同様の構成を有するので、同様の構成については同一の符号を付して説明を省略する。本実施形態３の記録再生装置１では、類似するジャンルを対応付けて記憶する類似ジャンルテーブル（図示せず）が記憶部（類似ジャンル記憶部）１２に予め記憶してある。類似ジャンルテーブルには、例えば、ドラマ及び映画、スポーツ及びスポーツニュース、ワイドショー及びバラエティ等がそれぞれ対応付けて記憶されている。なお、ジャンルは、ＥＰＧ信号から得られるジャンルを用いることができる。類似ジャンルテーブルは、予め記憶部１２に記憶されているほかに、記録再生装置１がインターネット等のネットワークに接続可能であれば、ネットワークを介してダウンロードされてもよい。また、記録再生装置１が、外部記憶媒体から情報の読み出しが可能であれば、外部記憶媒体から読み出して記憶部１２に記憶させてもよい。
【００６３】
上述の実施形態１の記録再生装置１は、図７又は図８に示す受付画面を介して再生対象の番組が選択され、再生処理が開始された後、選択された番組が、図７に示す受付画面を介して選択された番組であるか否かを判断する（図６中のステップＳ２３）。そして、図７に示す受付画面を介して選択された番組でなかった場合（図６中のステップＳ２３でＮＯ）、記録再生装置１は、選択された番組に関する再生履歴情報を新たに再生履歴テーブル１２ｂに追加する。
【００６４】
これに対して、本実施形態３の記録再生装置１は、図７に示す受付画面を介して選択された番組でなかった場合、選択された番組のジャンルが、図７に示す受付画面に表示された番組リストのジャンルに類似するか否かを判断する。そして、類似しないと判断した場合、記録再生装置１は、選択された番組に関する再生履歴情報を新たに再生履歴テーブル１２ｂに追加する。一方、類似すると判断した場合、記録再生装置１は、図７に示す受付画面に表示された番組リストを生成する際に再生履歴テーブル１２ｂから検索した再生履歴情報を特定し、この再生履歴情報及び更新日時を更新する。即ち、表示された番組リスト（受付画面）から所望の番組が選択されなかった場合であっても、選択された番組が、表示された番組リストのジャンルに類似するジャンルであれば、表示された番組リストから番組が選択されたものと見なし、更新日時を更新する。再生対象として選択された番組が、過去の再生履歴から絞り込まれた番組のジャンルとは異なる場合であっても、類似するジャンルであれば、過去の再生履歴が有効であると考えられる。よって、対応する再生履歴情報の更新日時を現在日時に更新しておくことにより、以降においても、この再生履歴情報を使用することができる。
【００６５】
以下に、本実施形態３の記録再生装置１が行う処理について説明する。本実施形態３の記録再生装置１は、上述の実施形態１の記録再生装置１が録画処理を完了した後に行う処理と同様の処理を行う。即ち、本実施形態３の記録再生装置１は、図４に示した処理と同様の処理を行うので説明を省略する。また、本実施形態３の記録再生装置１は、上述の実施形態１の記録再生装置１が行う番組信号の再生処理及び再生処理の際に行う処理と同様の処理を行う。即ち、本実施形態３の記録再生装置１は、図５及び図６に示した処理と同様の処理を行うので、同様の処理については説明を省略し、異なる処理についてのみ説明する。
【００６６】
図１２は、実施形態３の記録再生装置１による再生処理の手順の一部を示すフローチャートである。なお、実施形態１の記録再生装置１が行う処理と同様の処理については、同一のステップ番号を付して説明を省略する。
本実施形態３の記録再生装置１において、制御部１０は、上述の実施形態１と同様に、ユーザによって選択された番組が、ステップＳ１７で生成した番組リスト中の番組であると判断した場合（Ｓ２３：ＹＥＳ）、再生履歴テーブル１２ｂを更新する（Ｓ２４）。
【００６７】
一方、番組リスト中の番組でないと判断した場合（Ｓ２３：ＮＯ）、本実施形態３の制御部（類似判断部）１０は、ユーザによって選択された番組のジャンルが、ステップＳ１７で生成した番組リストのジャンルに類似するか否かを判断する（Ｓ２８）。具体的には、制御部１０は、ユーザによって選択された番組のジャンルが、ステップＳ１７で番組リストを生成するためにステップＳ１５で再生履歴テーブル１２ｂから読み出されたジャンルに類似するジャンルであるか否かを判断する。なお、制御部１０は、記憶部１２に記憶されている類似ジャンルテーブルに基づいて判断する。
【００６８】
番組リストのジャンルに類似しないと判断した場合（Ｓ２８：ＮＯ）、制御部１０は、ステップＳ２５に処理を移行し、番組リストのジャンルに類似すると判断した場合（Ｓ２８：ＹＥＳ）、ステップＳ２４に処理を移行する。
ステップＳ２４において、制御部１０は、この番組リストを生成する際に、ステップＳ１３で再生履歴テーブル１２ｂから検索した再生履歴情報を特定し、この再生履歴情報の再生開始時刻を、ステップＳ１２で取得した時刻に更新し、特定した再生履歴情報に対応する更新日時を、この時点での日時に更新する。なお、制御部１０は、再生履歴情報のジャンルを、ユーザによって選択された番組のジャンルに更新してもよい。即ち、類似するジャンルに更新してもよい。
【００６９】
本実施形態３の記録再生装置１においても、再生履歴テーブル１２ｂに登録された再生履歴情報（過去の再生履歴）に基づいて、ユーザが選択する可能性の高い番組を絞り込んで提示することができる。よって、ユーザは、絞り込まれた番組の番組リスト（番組情報一覧）から、再生（視聴）したい番組を容易に探し出すことができる。
【００７０】
（実施形態４）
以下に、実施形態４に係る記録再生装置について説明する。本実施形態４の記録再生装置は、上述した実施形態１の記録再生装置１と同様の構成を有するので、同様の構成については同一の符号を付して説明を省略する。本実施形態４の記録再生装置１では、再生履歴テーブル１２ｂが、予めユーザ登録してあるユーザ毎に生成されて記憶部１２に記憶してある。また、本実施形態４の記録再生装置１では、例えば操作部１６にユーザ切替キーが設けられており、ユーザ切替キーの操作によって使用中（視聴中）のユーザを指定できる。なお、所定のメニュー画面を表示装置２に表示させ、メニュー画面を介してユーザ切り替えを行う構成でもよい。
【００７１】
本実施形態４の記録再生装置１において、予めユーザ登録してあるユーザは、記録再生装置１を使用する際に、例えば操作部１６のユーザ切替キーを操作することにより、ユーザ切り替えを行う。本実施形態４の記録再生装置１において、制御部１０は、ユーザによるユーザ切替キーの操作により、現在使用中のユーザが、ユーザ登録しているユーザのうちの誰であるかを把握できる。なお、ユーザ登録していないユーザは、ユーザ切替キーを操作する必要はなく、その場合、制御部１０は、現在使用中のユーザは、ユーザ登録していないユーザであることを把握する。よって、制御部１０は、現在使用中のユーザが誰であるかに応じた処理を行うことができる。例えば、制御部１０は、予めユーザ毎に振り分けられている録画済み番組の番組情報の一覧を表示装置２に表示させることができる。
【００７２】
以下に、本実施形態４の記録再生装置１が行う処理について説明する。本実施形態４の記録再生装置１は、上述の実施形態１の記録再生装置１が録画処理を完了した後に行う処理と同様の処理を行う。即ち、本実施形態４の記録再生装置１は、図４に示した処理と同様の処理を行うので説明を省略する。また、本実施形態４の記録再生装置１は、上述の実施形態１の記録再生装置１が行う番組信号の再生処理及び再生処理の際に行う処理と同様の処理を行う。即ち、本実施形態４の記録再生装置１は、図５及び図６に示した処理と同様の処理を行うので、同様の処理については説明を省略し、異なる処理についてのみ説明する。
【００７３】
図１３は、実施形態４の記録再生装置１による再生処理の手順の一部を示すフローチャートである。なお、実施形態１の記録再生装置１が行う処理と同様の処理については、同一のステップ番号を付して説明を省略する。
本実施形態４の記録再生装置１において、制御部１０は、ユーザによって番組信号の再生処理の開始を指示されたと判断した場合（Ｓ１１：ＹＥＳ）、現在使用中のユーザがユーザ登録しているユーザであるか否かを判断する（Ｓ４１）。ユーザ登録していないユーザであると判断した場合（Ｓ４１：ＮＯ）、制御部１０は、ステップＳ１９に処理を移行し、録画情報テーブル１２ａに記憶してある全ての番組情報を用いて受付画面情報を生成する（Ｓ１９）。
【００７４】
ユーザ登録しているユーザであると判断した場合（Ｓ４１：ＹＥＳ）、制御部１０は、ステップＳ１２に処理を移行し、現在の曜日及び時刻を取得する（Ｓ１２）。制御部１０は、記憶部１２に記憶してあるユーザ毎の再生履歴テーブル１２ｂから、現在使用中のユーザの再生履歴テーブル１２ｂを特定する（Ｓ４２）。そして制御部１０は、特定した再生履歴テーブル１２ｂに記憶されている再生履歴情報から、再生曜日が、取得した曜日に一致し、再生開始時刻が、取得した時刻を基準として前後所定時間内の時刻である再生履歴情報を検索する（Ｓ１３）。その後、制御部１０はステップＳ１４に処理を移行する。
上述した処理以外の処理については、上述の実施形態１の記録再生処理１が行う処理と同様であるので説明を省略する。
【００７５】
本実施形態４の記録再生装置１においても、再生履歴テーブル１２ｂに登録された再生履歴情報（過去の再生履歴）に基づいて、ユーザが選択する可能性の高い番組を絞り込んで提示することができる。よって、ユーザは、絞り込まれた番組の番組リスト（番組情報一覧）から、再生（視聴）したい番組を容易に探し出すことができる。また、本実施形態４では、現在使用中のユーザに対応した再生履歴テーブル１２ｂに基づいて、現在使用中のユーザが選択する可能性の高い番組の番組リストを提示できるので、ユーザは所望の番組をより容易に探し出すことができる。
また例えば、同じ曜日の同じ時間帯に異なるユーザにおける再生履歴情報がある場合でも、本実施形態４では、ユーザ毎に再生履歴テーブル１２ｂが生成されるので、各ユーザの再生履歴情報が混在しない。よって、現在使用中のユーザが選択する可能性の高い番組の番組リストを確実に提示できる。
【００７６】
以上、本発明の好適な実施形態について具体的に説明したが、各構成及び動作等は適宜変更可能であって、上述の実施形態に限定されることはない。
【符号の説明】
【００７７】
１  記録再生装置
２  表示装置
１０  制御部（受付部、再生部、特定部、ジャンル読出部、番組情報読出部、画像情報生成部、再生番組受付部、更新部、記憶制御部、削除部、類似判断部）
１２  記憶部（類似ジャンル記憶部）
１２ａ  録画情報テーブル（番組情報記憶部）
１２ｂ  再生履歴テーブル（再生履歴記憶部）
１３  ＨＤＤ（記録部）
１６  操作部
１７  表示装置接続部（送出部）
【図１】
2014042212.tif 000003
【図２】
2014042212.tif 000004
【図３】
2014042212.tif 000005
【図４】
2014042212.tif 000006
【図５】
2014042212.tif 000007
【図６】
2014042212.tif 000008
【図７】
2014042212.tif 000009
【図８】
2014042212.tif 000010
【図９】
2014042212.tif 000011
【図１０】
2014042212.tif 000012
【図１１】
2014042212.tif 000013
【図１２】
2014042212.tif 000014
【図１３】
2014042212.tif 000015